(57)【要約】【課題】収集したカード類を優れた美感で収納することができ、収納されたカードの入れ替え作業を容易に行うことができるカード収納機能付きのデスクマットを提供する。【解決手段】透明合成樹脂シートからなる矩形状の本体シート１０と、これの上面に重ね合わされ、一辺において上記本体シート１０に接合一体化された透明合成樹脂シートからなるカバーシート１１とを備え、前記本体シート１０の下面に、多数個のカード収納用ポケット２０が多段多列のマトリックス配置に設けられ、該ポケット２０に収納されたカード２を、デスクマット１の上面側及び下面側のいずれからも観察可能なものとする。【選択図】図１
2008110581.tif 000002
【特許請求の範囲】
【請求項１】
透明合成樹脂シートからなる本体シートの下面に、多数個のカード収納用ポケットが多段多列のマトリックス配置に設けられ、該ポケットに収納されたカードを、デスクマットの上面側及び下面側のいずれからも観察可能なものとなされていることを特徴とするカード収納部を有するデスクマット。
【請求項２】
透明合成樹脂シートからなる矩形状の本体シートと、これの上面に重ね合わされ、一辺において上記本体シートに接合一体化された透明合成樹脂シートからなるカバーシートとを備え、
前記本体シートの下面に、多数個のカード収納用ポケットが多段多列のマトリックス配置に設けられ、該ポケットに収納されたカードを、デスクマットの上面側及び下面側のいずれからも観察可能なものとなされていることを特徴とするカード収納部を有するデスクマット。
【請求項３】
前記カード収納用ポケットは、透明合成樹脂シートからなるポケット形成用シートが、前記本体シートの下面に、多数個の前記カード収納用ポケットを区画形成する態様で接合一体化されることによって形成されている請求項１または２に記載のカード収納部を有するデスクマット。
【発明の詳細な説明】
【技術分野】
【０００１】
本発明は、机、特に学習机の天板上に敷設して使用される合成樹脂製のデスクマットに関する。
【背景技術】
【０００２】
学習机用のデスクマットとしては、ベースシートとしての本体シートと、これに重ねて一辺を接合一体化したカバーシートとの２層構造を有し、両者間に、時間割表や写真、名刺等のシート状片を挾み込んで上から透視可能としたものが多く用いられている（例えば、下記特許文献１参照）。
【０００３】
一方、近年、小学生を中心とする子供の間で、トレーディングカードの収集が流行している。このトレーディングカードは、キャラクターの絵柄とともに、キャラクターの解説文、カードの点数等が記載されたもので、カードゲームに用いて楽しむだけでなく、カードを追加で購入したり、交換したりして、気に入ったカードを集めることが楽しまれている。
【０００４】
そのため、前述したようなトレーディングカードを、子どもが頻繁に使用する学習机等のデスクマットに挟み込んで、コレクションとして、それを観賞したいという要望があった。
【０００５】
しかしながら、前述したような単にベースシートとカバーシートとを重ねただけの構造では、カードを整然と並べることが難しかったり、シート間に挟み込んだカードを入れ替える動作に伴って他のカードに位置ズレを生じたりして、美観が損なわれ易かった。
【０００６】
このようなカード類をデスクマットに整然と収納する従来技術としては、例えば、特許文献２には、カード類（名刺）をカードホルダーに入れた状態で、そのカードホルダーをデスクマット（デスクカバー）に挿入するものとした構造が開示されている。特許文献２のデスクマットは、上板、中板、及び下板の積層によって構成されており、上板と中板との間となる上段、及び中板と下板との間となる下段に、仕切り片によって複数の収納部が設けられている。カードホルダーは細長形状で、その長手方向に沿って複数の名刺（カード）を並べることができる。そして、デスクマットの一方の長辺側に設けられた入口から、デスクマットの短辺に平行にカードホルダーを差し込むようになっている。
【０００７】
この特許文献２のデスクマットでは、上段の収納部に収納されたカードホルダーの名刺は、デスクマットの上方からそのまま読み取られ、下段の収納部に収納されたカードホルダーの名刺は、上段において隣接するカードホルダー同士の隙間を通して、名刺の要部（一部）のみが読み取られるものである。
【特許文献１】特開２００２−１５３３４３号公報
【特許文献２】実公昭５５−５４３６１号公報
【発明の開示】
【発明が解決しようとする課題】
【０００８】
特許文献２の構造では、多数のカードを整然と収納でき、上段に収納されたカードは、外部からその全容を観賞することができる。
【０００９】
しかしながら、カードを入れ替えるためには、デスクマットに差し込まれている細長形状のカードホルダーを、デスクマットから引き抜き、さらに、このカードホルダーから必要なカードを出し入れする必要がある。名刺等と異なり、トレーディングカードの場合には、ゲームに使用するためにカードを取り出したり、お気に入りのカードを並べ替えたり、あるいは新しいカードと入れ替えたりする作業が頻繁に行われる。そのため、美感だけでなく、カードの入れ替え、取り出しが容易にできる構造が要望されていた。
【００１０】
本発明は、上記課題を解消するものであり、収集したカード類を優れた美感で収納することができ、収納されたカードの入れ替え作業を容易に行うことのできると共に、収納したカードの厚みの影響がデスクマットの表面に反映しにくく、デスクマットの上面の平坦度を良好に維持できるデスクマットの提供を目的とするものである。
【課題を解決するための手段】
【００１１】
本発明は、上記の目的において、これを下記の手段によって達成する。
［１］透明合成樹脂シートからなる本体シートの下面に、多数個のカード収納用ポケットが多段多列のマトリックス配置に設けられ、該ポケットに収納されたカードを、デスクマットの上面側及び下面側のいずれからも観察可能なものとなされていることを特徴とするカード収納部を有するデスクマット。
［２］透明合成樹脂シートからなる矩形状の本体シートと、これの上面に重ね合わされ、一辺において上記本体シートに接合一体化された透明合成樹脂シートからなるカバーシートとを備え、前記本体シートの下面に、多数個のカード収納用ポケットが多段多列のマトリックス配置に設けられ、該ポケットに収納されたカードを、デスクマットの上面側及び下面側のいずれからも観察可能なものとなされていることを特徴とするカード収納部を有するデスクマット。
［３］前記カード収納用ポケットは、透明合成樹脂シートからなるポケット形成用シートが、前記本体シートの下面に、多数個の前記カード収納用ポケットを区画形成する態様で接合一体化されることによって形成されている前項［１］または［２］に記載のカード収納部を有するデスクマット。
【発明の効果】
【００１２】
上記［１］項に記載の発明によれば、透明合成樹脂シートからなる本体シートの下面に、多数個のカード収納用ポケットが多段多列のマトリックス配置に設けられたものとなされているから、本体シートを捲りあげても、他のカードの並びを乱すことがない。そしてその裏面側に存在する多数個のポケットに対して所望のカードを容易に出し入れすることができる。またカードは、本体シートの下面のカード収納用ポケットに個別に収納されて、縦横基盤目配列に整然と並べられ、デスクマットの上面側及び下面側のいずれからも確認できるものとなっているから、カードの差し替えを本体シートの下面側から視認確認しながら容易に行えるほか、整然とした収納配列状態において体裁が良く、美感に優れ、カードに表示された絵柄の全容を十分に観賞することができる。更にまた、デスクマットの本体シートの下面側に上記カード収納用ポケットが設けられているから本体シートには比較的厚手のシートが使われることも相俟って、各ポケットに収納したカードの厚みの影響がデスクマットの上面側に反映されにくい。従って、カード収納状態においても、デスクマットの上面側の平坦度を比較的良好に維持でき、筆記用下敷きとしての本来のデスクマットの機能を損なうことがない。
【００１３】
また、前記［２］項に記載の発明においては、透明合成樹脂シートからなる矩形状の本体シートと、これの上面に重ね合わされ、一辺において上記本体シートに接合一体化された透明合成樹脂シートからなるカバーシートとを備え、前記本体シートの下面に多数個の前記カード収納用ポケットが多段多列のマトリックス配置に設けられたものとなされているから、前記のようなカード配列収納機能を有することに加えて、ベースシートとしての本体シートと、その上面を覆ったカバーシートとの間に、更に名刺や時間割票等の他のシート状物を挾んで使用することも可能であり、一層実用機能性に富んだデスクマットを提供しうる。
【００１４】
更に、前記［３］項に記載のような構成を採用するときは、本体シートとポケット形成用シートとの間が小袋状態に形成されてカード収納用ポケットが形成される。このように、１枚のポケット形成用シートを本体シートに接合することでカード収納用ポケットが形成されるから、多数個のカード収納用ポケットを一括して形成でき、製造工程の簡略化、使用材料の節減によるコストの削減が可能となる。
【発明を実施するための最良の形態】
【００１５】
以下に、本発明の好ましい実施形態を図面に基づいて説明する。
【００１６】
図１は、デスクマットの使用状態を示すものであり、図２はデスクマットの全体を一部を切欠いて示したものである。また、図３及び図４は、デスクマットの縦横方向の断面を示したものであり、図５は裏面側から見た外観状態を示したものである。
【００１７】
本実施形態のデスクマット（１）は、図５に示すように主として学習机（Ａ）等の机の天板（Ｂ）上面に敷設して使用されるものであり、天板（Ｂ）の面積よりやや小さい平面視略長方形状を有する。
【００１８】
この実施形態のデスクマット（１）は、図１〜３に示すように、透明合成樹脂シートからなるベースシートとしての矩形状の本体シート（１０）と、これの上面に重ね合わされ、奥側の一側辺において上記本体シート（１０）に接合一体化された透明合成樹脂シートからなるカバーシート（１１）とを備え、本体シート（１０）の下面に、多数個のカード収納用ポケット（２０）が多段多列のマトリックス配置に設けられ、該ポケット（２０）に収納されたカード（２）を、デスクマット（１）の上面側及び下面側のいずれからも観察可能なものとなされている。そして、上記カード収納用ポケット（２０）には、収納されたカード（２）の出し入れ用にそれぞれに開口部（２１）が設けられている。
【００１９】
なお、この実施形態では、カード（２）として、平面視長方形状で、これを縦長に置いた状態で絵柄が正しく読み取れるように表示されているカード類を適用するものとする。また、便宜上、デスクマット（１）の使用時に使用者に近い側を、デスクマット（１）の手前側と記載し、その反対側を奥側と記載し、また、使用者の左右となる方向両側を、左右側あるいは横側と記載する。
【００２０】
カード収納用ポケット（２０）は、１つのカード収納用ポケット（２０）に１枚のカード（２）を収納できるようになっており、その形状は、長方形状のカード（２）よりも少し大きな長方形状であって、カード（２）の出し入れを速やかに行うことができ、且つカード（２）がカード収納用ポケット（２０）の内部でがたつきなく保持できるサイズに形成されている。そして、カード収納用ポケット（２０）は、その長辺をデスクマットの短辺（左右の辺）に平行にして、多段多列のマトリックス状に配置されている。図１では、カード収納用ポケット（２０）が５段１０列に配置された形態を図示しているが、これに限定されるものではない。
【００２１】
開口部（２１）は、カード収納用ポケット（２０）の一方の長辺に形成されており、その長手方向の寸法は、カード収納用ポケット（２０）の長辺と同じ長さになっている。すなわち、カード収納用ポケット（２０）の一方の長辺の端から端までが、開口部（２１）の間口を形成しており、カード（２）をその長辺側を持って、カード収納用ポケット（２０）の横から出し入れすることができるように構成されている。
【００２２】
本体シート（１０）とカバーシート（１１）は、略同じ大きさの平面視長方形状に形成されており、一方の長辺側（奥側）に沿って帯状に接合領域（４３）が設けられて相互に接合一体化され、残りの３辺（左右側及び手前側）は固着されずにカバーシート（１１）の捲り上げが可能になっている。
【００２３】
そして、本体シート（１０）の下面には、比較的薄手の透明合成樹脂シートからなる１枚のポケット形成用シート（１２）が、カード収納用ポケット（２０）となる領域を区画するように固着されている。ポケット形成用シート（１２）は本体シート（１０）よりも小さい平面視長方形状であり、その長辺を本体シート（１０）の長辺と平行にして、本体シート（１０）の中央部に配置されている。
【００２４】
本体シート（１０）とポケット形成用シート（１２）との接合領域としては、デスクマット（１）の長辺方向と平行な第１の方向に沿う直線状の複数本の第１の接合領域（３１）と、この第１の方向に直交する第２の方向に沿う直線状の第２の接合領域３２とが設けられている。
【００２５】
ポケット形成用シート（１２）には、図４に示すように、前述した開口部（２１）となる平面視略細長形状のスリット（２１’）が、第２の方向に平行に、あらかじめ穿設されている。スリット（２１’）は、カード収納用ポケット（２０）の配置に対応するように、第２の方向に沿って複数本（ここでは、５本）、第１の方向に沿って複数列（ここでは、１０列）、それぞれ配置されている。
【００２６】
第１の接合領域（３１）は、スリット（２１’）（開口部２１）における一方の長辺の端縁に沿って形成されており、第２の接合領域（３２）は、スリット（２１’）（開口部２１）における両方の短辺のそれぞれの端縁に沿って形成されている。
【００２７】
また、スリット（２１’）（開口部２１）には、他方の長辺の端縁の中途部に、スリット幅を拡幅する切込部（２２）が設けられている。切込部（２２）の切込深さは、カード収納用ポケット（２０）に収納されるカード（２）の端部を切込部（２２）から露出させて摘めるように設定されている。図では、半円状の切込部（２２）を示しているが、この形状に限定するものではなく、長辺をその長手方向に渡って曲線形状に形成してもよい。
【００２８】
カバーシート（１１）、本体シート（１０）及びポケット形成用シート（１２）は、可撓性を有する素材からなり、ＥＶＡ（エチレン・酢酸ビニル共重合体樹脂）やＰＰ（ポリプロピレン）、塩化ビニル等の熱可塑性樹脂を、単層あるいは積層体にして形成したものである。
【００２９】
また、シート同士の接合は、高周波や超音波を用いた熱溶着が好適であるが、接着剤を用いてもよい。
【００３０】
上述の構成によると、複数のカード（２）はそれぞれカード収納用ポケット（２０）に収納されて、デスクマット（１）に平面状に配置されるから、カード（２）は整然と並べられて、位置ズレし難くく、美感に優れている。
【００３１】
また、カード（２）を入れ替える場合には、本体シート（１１）を捲って、図４に示すように開口部（２１）から所望のカード（２）を直ちに抜き差しできるから、出し入れの作業が極めて容易である。
【００３２】
上記の図示実施形態では、本体シート（１０）の上面にカバーシート（１１）を捲り上げ可能に装着した２層構造のデスクマット（１）を示したが、本発明は、カバーシート（１１）を廃して、厚手の本体シート（１０）のみでマット本体を構成しその下面側にカード収納用ポケット（２０）を設けたものとしてもよい。
【００３３】
いずれの実施形態による場合であっても、本発明に係るデスクマットでは、カード収納用ポケット（２０）に収納したカード（２）を、デスクマットの上面側からだけでなく、下面側からも視認観察することができるので、収納状態のままで、デスクマット（１）をめくり上げ、あるいは上下反転することで、カード（２）の裏面をも観察することができる。
【００３４】
なお、図示した実施形態は、縦長に使用するカード（２）を適用するものであるが、横長に使用するカードを適用する場合には、カード収納部の長方形状を、使用者からみて横長となるように構成してもよい。
【図面の簡単な説明】
【００３５】
【図１】この発明の実施形態のデスクマットを一部を切欠いて示した。
【図２】図１のＩＩ−ＩＩ線の断面図である。
【図３】図１のＩＩＩ−ＩＩＩ線の断面図である。
【図４】デスクマットの一部の下面図である。
【図５】デスクマットの使用状態を示す斜視図である。
【符号の説明】
【００３６】
１・・・デスクマット
２・・・カード
１０・・本体シート
１１・・カバーシート
１２・・ポケット形成用シート
２０・・カード収納用ポケット
２１・・開口部
２２・・切込部
３１・・第１の接合領域
３２・・第２の接合領域
【図１】
2008110581.tif 000003
【図２】
2008110581.tif 000004
【図３】
2008110581.tif 000005
【図４】
2008110581.tif 000006
【図５】
2008110581.tif 000007